(57)【特許請求の範囲】
【請求項１】
ドアの室内側に設けられる施解錠用の操作部と、ドアの室外側に設けられる表示部とからなり、
前記操作部がドアに取り付けられる台座と、その台座にスライド自在に支持され、出入口における開口枠の室内面側に設けられたラッチ受けに対して係脱可能なラッチと、前記台座を貫通して前記操作部に向けて突設された回転可能な回転軸と、前記ラッチのスライドによる直線運動を前記回転軸の回転運動に変換するラックピニオン機構とを有し、
前記表示部が、ドアに取り付けられるベース板と、そのベース板を介してドアへの取り付けとされたカバーと、そのカバー内に組み込まれて水平軸を中心に揺動可能とされ、その揺動によって円弧状外周壁部に設けられた異なる区分表示面をカバーに設けられた表示窓に切換え表示する表示体と、前記回転軸に接続されてカバー内で回転可能な入力ギヤと、その入力ギヤに噛合する出力ギヤと、前記入力ギヤと同軸上に配置されて、その入力ギヤの軸心を中心に回転可能なカムとを有してなり、前記出力ギヤとカムとの相互間に、出力ギヤの連続回転運動をカムの設定角度の回転運動に変換するゼネバ機構を設け、前記カムの外周には、前記表示体の端部内周に設けられた弧状空間内に回転方向遊びをもって配置され、その弧状空間の周方向で対向する端面の押圧によって表示体を揺動させるカム片を設けたスライドラッチ装置。
【請求項２】
前記ゼネバ機構が、出力ギヤの一側面に円盤状のストッパ部と、そのストッパ部の周囲にクランクピンとを突設し、前記ストッパ部の外周円筒面には前記クランクピンと対向する位置に円弧状の切欠部を設け、前記カムには、前記切欠部の内周面に案内される円弧状外周面を形成し、その円弧状外周面に前記クランクピンが挿入される径方向のスロットと、そのスロットの周方向両端部に前記ストッパ部の空回転を許容する一対の凹入状の円弧面を設けた構成からなる請求項１に記載のスライドラッチ装置。
【請求項３】
前記ストッパ部の軸方向端面に突軸部を突設し、その突軸部の端面にツール係合孔を設け、前記表示体の円弧状外周壁部には前記突軸部の端部が挿入される円弧状の長孔を設け、前記カバーには前記突軸部と対向する位置にツール挿入孔を設けた請求項２に記載のスライドラッチ装置。
【発明の詳細な説明】
【技術分野】
【０００１】
この発明は、トイレ等の個室のドアを施解錠するスライドラッチ装置に関する。
【背景技術】
【０００２】
商業施設やホテル等のトイレにおけるドアにおいては、スライドラッチ装置によって施解錠することが一般的に行われている。このとき、スライドラッチ装置でドアを単に施解錠するだけでは、トイレが使用状態にあるか不使用状態にあるか室外から識別することができない。
【０００３】
そこで、スライドラッチ装置においてはドアの室外側に表示部が設けられ、その表示部でもって使用状態にあるか不使用状態にあるかを室外から目視によって識別できるようにしている。
【０００４】
表示部を有するスライドラッチ装置として、特許文献１および特許文献２に記載されたものが従来から知られている。特許文献１に記載されたスライドラッチ装置においては、ドアの室内側に設けられたラッチに相当するロックバーを長さ方向にスライドさせて施錠、解錠とし、そのロックバーのスライドによる直線運動をラックピニオン機構によってドアの室外側に設けられた表示部内の回転軸の回転運動に変換し、その回転軸の回転を歯車式減速機により減速して出力ギヤのギヤ軸に取付けられた表示体を回転させ、その表示体の異なる区分表示面をカバーに形成された表示窓に切換え表示させるようにしている。
【０００５】
また、使用者がトイレ内で倒れるなどの非常事態が発生した際には、ドアの外側から表示体の回転中心部に形成されたツール係合孔に回転用ツールを挿入し、そのツールの回転操作によりロックバーを解錠位置までスライドさせて、ドアの解錠としている。
【０００６】
一方、特許文献２に記載されたスライドラッチ装置においては、ラックを、表示切換用ギヤ部と、非常時解錠用ギヤ部とで形成し、回転軸に設けられたピニオンを表示切換用ギヤ部と非常時解錠用ギヤ部とに切換え可能とし、上記ピニオンが表示切換用ギヤ部に噛合する状態でのロックバーのスライドにより表示体を設定角度回転させて異なる区分表示面をカバーに形成された表示窓に切換え表示させるようにしている。
【０００７】
また、非常事態の発生時には、非常解錠用ツールをカバーに形成された非常操作孔から表示体の中心孔に挿入して回転軸を押し込み、ピニオンを非常時解錠用ギヤ部に噛合させた状態でツールの回動操作によりピニオンを回転させて、ロックバーを解錠位置までスライドさせるようにしている。
【先行技術文献】
【特許文献】
【０００８】
【特許文献１】実開平７−１４０４２号公報
【特許文献２】特開２００５−１２０７６７号公報
【発明の概要】
【発明が解決しようとする課題】
【０００９】
ところで、上記特許文献１および特許文献２に記載されたスライドラッチ装置においては、ロックバーのスライド操作に連動して表示体が回転運動するため、表示窓から表示体に回転トルクを付与すると表示体が回転し、悪戯によって表示体が回転操作される場合がある。
【００１０】
また、表示体の回転操作によりロックバーが施錠位置までスライドしてドアが施錠され、使用不能な状態とされる可能性がある。
【００１１】
この発明の課題は、表示体が悪戯によって回転操作されることのないスライドラッチ装置を提供することである。
【課題を解決するための手段】
【００１２】
上記の課題を解決するため、この発明においてはドアの室内側に設けられる施解錠用の操作部と、ドアの室外側に設けられる表示部とからなり、前記操作部がドアに取り付けられる台座と、その台座にスライド自在に支持され、出入口における開口枠の室内面側に設けられたラッチ受けに対して係脱可能なラッチと、前記台座を貫通して前記操作部に向けて突設された回転可能な回転軸と、前記ラッチのスライドによる直線運動を前記回転軸の回転運動に変換するラックピニオン機構とを有し、前記表示部が、ドアに取り付けられるベース板と、そのベース板を介してドアへの取り付けとされたカバーと、そのカバー内に組み込まれて水平軸を中心に揺動可能とされ、その揺動によって円弧状外周壁部に設けられた異なる区分表示面をカバーに設けられた表示窓に切換え表示する表示体と、前記回転軸に接続されてカバー内で回転可能な入力ギヤと、その入力ギヤに噛合する出力ギヤと、前記入力ギヤと同軸上に配置されて、その入力ギヤの軸心を中心に回転可能なカムとを有してなり、前記出力ギヤとカムとの相互間に、出力ギヤの連続回転運動をカムの設定角度の回転運動に変換するゼネバ機構を設け、前記カムの外周には、前記表示体の端部内周に設けられた弧状空間内に回転方向遊びをもって配置され、その弧状空間の周方向で対向する端面の押圧によって表示体を揺動させるカム片を設けた構成を採用したのである。
【００１３】
上記の構成からなるスライドラッチ装置において、ラッチをスライドすると、そのラッチの直線運動はラックピニオン機構により回転軸の回転運動に変換されて回転軸が回転し、その回転は入力ギヤから出力ギヤに伝達され、出力ギヤの連続回転運動はゼネバ機構によってカムの間歇的な回転運動に変換される。
【００１４】
このとき、カムに設けられたカム片と表示体の端部内周に設けられた弧状空間の周方向の対向端面間には回転方向遊びを有するため、その回転方向遊びの範囲内でカムが空回転する。上記回転方向遊びがなくなると、カム片が弧状空間の周方向の端面を押圧し、その押圧により表示体が回転し、円弧状外周壁部に設けられた異なる区分表示面がカバーに設けられた表示窓に切換え表示される。
【００１５】
ここで、区分表示面は、表示体の円弧状外周壁部に設けられたものであるため、切り換えに要する角度は小さく、区分表示面は瞬時に切換えられることになり、区分表示面が中途半端に表示されるのを防止することができる。
【００１６】
区分表示面の切換え状態において、カムはゼネバ機構によってロック状態に保持される。このため、表示窓を通じて表示体に回転トルクが負荷されたとしても、その回転トルクはゼネバ機構により受け止められることになり、表示体は回転しない。その結果、悪戯によって表示体が回転されることはない。
【００１７】
ここで、ゼネバ機構として、出力ギヤの一側面に円盤状のストッパ部と、そのストッパ部の周囲にクランクピンとを突設し、上記ストッパ部の外周円筒面には上記クランクピンと対向する位置に円弧状の切欠部を設け、カムには、上記切欠部の内周面に案内される円弧状外周面を形成し、その円弧状外周面に上記クランクピンが挿入される径方向のスロットと、そのスロットの周方向両端部に前記ストッパ部の空回転を許容する一対の凹入状の円弧面を設けた構成からなるものを採用することができる。
【００１８】
上記の構成からなるゼネバ機構においては、出力ギヤが回転し、クランクピンがスロット内に進入しつつ回転することにより、カムが設定角度回転する。カムが設定角度回転すると、カムの円弧面がストッパ部の外周円筒面に対向し、出力ギヤからカムへの回転伝達が遮断され、その遮断状態において出力ギヤは停止し、カムの円弧面とストッパ部の外周円筒面の係合によってカムは停止状態に保持される。
【００１９】
上記のようなゼネバ機構の採用において、ストッパ部の軸方向端面に突軸部を突設し、その突軸部の端面にツール係合孔を設け、表示体の円弧状外周壁部には突軸部の端部が挿入される円弧状の長孔を設け、カバーには上記突軸部と対向する位置にツール挿入孔を設けておくのが好ましい。
【００２０】
このようにすると、ツール挿入孔に回転操作用ツールを挿入し、その回転操作用ツールをツール係合孔に係合して回転操作すると、出力ギヤが回転し、その回転は入力ギヤからピニオンに伝達されるため、ラッチを解錠位置まで後退動させることができ、非常事態に対応させることができる。
【発明の効果】
【００２１】
この発明においては、上記のように、ラッチのスライドによる直線運動をラックピニオン機構により回転軸の回転運動に変換し、その回転を入力ギヤから出力ギヤに伝達し、その出力ギヤの連続回転運動をゼネバ機構によりカムの間歇的な回転運動に変換して、そのカムに設けたカム片により表示体に設けた弧状空間の周方向の端面を押圧して表示体を揺動させるようにしたので、表示体に設けられた異なる区分表示面をカバーに設けられた表示窓に切換え表示することができる。
【００２２】
また、出力ギヤの回転をゼネバ機構を介してカムに伝達し、そのカムの回転により表示体を揺動させるものであるため、区分表示面の切換え状態において、ゼネバ機構によりカムをロック状態に保持することができる。このため、表示窓を通じて表示体に回転トルクが負荷されたとしても、その回転トルクはゼネバ機構により受け止められることになって表示体は回転せず、悪戯によって表示体が回転されるのを確実に防止することができる。
【図面の簡単な説明】
【００２３】
【図１】この発明に係るスライドラッチ装置の実施の形態を示す縦断面図
【図２】図１の表示部の拡大断面図
【図３】図２のIII−III線に沿った断面図
【図４】図２のIV−IV線に沿った断面図
【図５】図２のV−V線に沿った断面図
【図６】（I）乃至（III）は出力ギヤからカムに回転を伝えるゼネバ機構の作動を段階的に示す断面図
【図７】表示体に設けられた区分表示面の切換え状態を示す断面図
【図８】表示部を形成する各種部品の分解斜視図
【図９】図８に示す各種部品を異なった方向から視た状態の分解斜視図
【発明を実施するための形態】
【００２４】
以下、この発明の実施の形態を図面に基づいて説明する。図１に示すように、ドアＡを施解錠するスライドラッチ装置は、ドアＤの室内面に設けられた操作部１０と、ドアＤの室外面に設けられた表示部３０とからなる。
【００２５】
操作部１０は、ドアＤの室内面に取り付けられる矩形状の台座１１と、その台座１１に沿って左右方向にスライド自在に支持されたラッチ１２とを有する。一方、表示部３０はドアＤの室外面に取り付けられるベース板３１と、そのベース板３１を介してドアＤに取り付けられるカバー３２とを有している。
【００２６】
操作部１０における台座１１には複数の挿入孔１３が形成され、一方、表示部３０におけるベース板３１には上記挿入孔１３に対向してスタッド３３が設けられ、上記挿入孔１３に挿通されてスタッド３３に形成されたねじ孔３４にボルト１４がねじ込まれ、そのボルト１４の締め付けによって台座１１とベース板３１がドアＤを室内外から挟持する取り付けとされている。
【００２７】
ラッチ１２は断面コの字状とされてドアＤと対向する面にガイド溝１５が設けられ、そのガイド溝１５の開口部における上下にラッチ１２の長さ方向に延びるガイド突条１６が設けられている。ガイド突条１６は、台座１１の上側面および下側面に形成された図示省略のガイド溝内にスライド自在に嵌合されて、ラッチ１２は左右方向に向けてスライド自在の支持とされている。
【００２８】
また、ラッチ１２におけるガイド溝１５は、ラッチ１２の一端部で開口し、その開口端部はドアＤによって開閉される出入口Ａの開口枠の室内側面に設けられたラッチ受け１７に対して係脱自在とされており、その係合状態が施錠状態であり、離脱状態が解錠状態である。その解錠状態において、ラッチ１２の一端面はドアＤの戸先側端面より内側に退避している。
【００２９】
ガイド溝１５の内側壁にはラッチ１２のスライド方向に長く延びる規制溝１８が設けられている。一方、台座１１のラッチ１２内に嵌合する嵌合部の表面側に規制突起部１９が設けられ、その規制突起部１９の先端部に設けられたフランジ１９ａが上記規制溝１８内に嵌合し、上記フランジ１９ａに規制溝１８の両端部が当接する範囲内においてラッチ１２はスライド自在とされている。
【００３０】
ここで、規制溝１８の一端がフランジ１９ａに当接する停止位置がラッチ１２の施錠位置とされ、他端がフランジ１９ａに当接する停止位置がラッチ１２の解錠位置とされている。
【００３１】
台座１１には表裏に貫通する軸挿入孔２０が形成され、その軸挿入孔２０内に回転軸２１が挿通されて回転自在に支持されている。回転軸２１とラッチ１２の相互間には、ラッチ１２のスライドによる直線運動を回転軸２１の回転運動に変換するラックピニオン機構２２が設けられている。
【００３２】
ラックピニオン機構２２は、規制溝１８の開口部にラッチ１２のスライド方向に長く延びるラック２３と、回転軸２１の一端部に設けられて上記ラック２３に噛合するピニオン２４からなる。
【００３３】
回転軸２１は、断面形状が角形とされた連結軸部２１ａを他端部に有し、その連結軸部２１ａは表示部３０に向けて突設している。
【００３４】
図２、図３および図９に示すように、ベース板３１は矩形状をなし、四隅部にはねじ挿入孔３５が設けられている。一方、カバー３２にはベース板３１に嵌合される角形の周壁３２ａが設けられている。また、カバー３２には上記ねじ挿入孔３５に対向してねじ孔３６が設けられ、ねじ挿入孔３５からねじ孔３６にねじ込まれるビス３７の締め付けによってベース板３１とカバー３２は結合されている。
【００３５】
ベース板３１には、カバー３２の内部に臨む一側面にブラケット３８が取り付けられている。図２および図９に示すように、ブラケット３８は、ベース板３１の室外側面に取り付けられた座板３９を有し、その座板３９に第１ギヤ収容凹部４０と、その第１ギヤ収容凹部４０に連通する第２ギヤ収容凹部４１を設けている。
【００３６】
図２に示すように、カバー３２内にはブラケット３８の室外側に表示体４２が組み込まれている。図８および図９に示すように、表示体４２は、円弧状の外周壁部４３の両端部に一対の弧状の端板４４を設け、その端板４４の円弧状外周の中心部に支点ピン４５を設けた構成とされ、上記円弧状外周壁部４３の不使用区分表示面４７と、その上側に使用区分表示面４６が設けられている。
【００３７】
また、対向一対の端板４４のうち、一方の端板４４の内面側には、図４に示すように、弧状空間４８が設けられている。さらに、円弧状外周壁部４３には、図９に示すように、円弧状の長孔４９が設けられている。
【００３８】
図２および図３に示すように、カバー３２には、一端壁の内面に沿って突出部５０が設けられている。また、カバー３２の内部にはカバー３２内を左右に仕切る仕切り壁５１が設けられ、その仕切り壁５１と突出部５０のそれぞれに形成されたピン孔５２によって表示体４２の支点ピン４５が支持され、上記支点ピン４５を中心にして表示体４２は揺動自在とされている。また、表示体４２の揺動によって区分表示面４６、４７がカバー３２に設けられた表示窓５３に切換え表示されるようになっている。
【００３９】
図２乃至図４に示すように、ブラケット３８に設けられた第１ギヤ収容凹部４０内には入力ギヤ５４が組み込まれ、その入力ギヤ５４に噛合する出力ギヤ５５が第２ギヤ収容凹部４１内に組み込まれている。
【００４０】
入力ギヤ５４は、継手軸５６の軸端部に一体的に設けられている。継手軸５６はベース板３１に形成された軸挿入孔５７に挿通されて回転自在に支持され、その軸端面で開口する角孔５８に回転軸２１の連結軸部２１ａが挿入され、上記回転軸２１の回転によって入力ギヤ５４が一体に回転するようになっている。
【００４１】
第１ギヤ収容凹部４０の閉塞端壁には回転軸２１と同軸上に突軸５９が設けられ、その突軸５９を中心にしてカム６０が回転自在に支持されている。
【００４２】
図２および図５に示すように、出力ギヤ５５はベース板３１に設けられた突軸６１を中心に回転自在に支持され、その突軸６１に対して抜き差し自在とされている。図２および図６に示すように、出力ギヤ５５とカム６０との相互間には、出力ギヤ５５の連続回転運動をカム６０の設定角度の回転運動（揺動運動）に変換するゼネバ機構６２が設けられている。
【００４３】
図２に示すように、ゼネバ機構６２は、出力ギヤ５５の一側面に円盤状のストッパ部６３と、そのストッパ部６３の周囲にクランクピン６４とを突設し、上記ストッパ部６３の外周円筒面６３ａにはクランクピン６４と対向する位置に円弧状の切欠部６５を設け、一方、カム６０には、上記切欠部６５の内周面に案内される円弧状外周面６６を形成し、その円弧状外周面６６にクランクピン６４が挿入される径方向のスロット６７と、そのスロット６７の周方向両端部にストッパ部６３の空回転を許容する一対の凹入状の円弧面６８を設けた構成としている。
【００４４】
図２および図４に示すように、カム６０の外周には、表示体４２の端部内周に設けられた前述の弧状空間４８内に回転方向遊びをもって配置されるカム片６９が設けられている。カム片６９は、突軸５９を中心とするカム６０の揺動時に弧状空間４８の周方向で対向する端面を押圧して表示体４２を揺動させるようになっている。
【００４５】
図２および図５に示すように、ストッパ部６３の軸方向端面には突軸部７０が突設され、その突軸部７０の端面にツール係合孔７１が設けられている。突軸部７０の端部は表示体４２の円弧状の外周壁部４３に形成された前述の長孔４９内に挿入されており、カバー３２には上記突軸部７０と対向する位置にツール挿入孔７２が設けられている。
【００４６】
図２および図３に示すように、出力ギヤ５５には、ベース板３１と対向する面に回転軸心を中心とする円弧状溝７３が形成され、ベース板３１にはその円弧状溝７３にスライド自在に挿入されるストッパピン７４が設けられている。ストッパピン７４は、図１に示すラッチ１２が解錠位置に位置する状態で円弧状溝７３の一端が当接する位置関係とされて出力ギヤ５５が図３の矢印で示す施錠方向に回転するのを許容し、かつ、矢印と反対向きの解錠方向に回転するのを防止する。
【００４７】
実施の形態で示すスライドラッチ装置は上記の構造からなり、図１は、ラッチ１２が解錠位置にある状態を示し、ドアＤは自由に開閉できる。また、カバー３２に形成された表示窓５３には表示体４２の外周壁部４３に設けられた不使用区分表示面４７が表示されている。
【００４８】
図１に示す状態からラッチ１２をラッチ受け１７に係合する施錠位置に向けてスライドすると、そのラッチ１２のスライドによる直線運動はラックピニオン機構２２により回転軸２１の回転運動に変換され、その回転軸２１の回転は入力ギヤ５４から出力ギヤ５５に伝達され、出力ギヤ５５が図６（I）の矢印で示す方向に連続回転する。
【００４９】
出力ギヤ５５の回転により、その出力ギヤ５５に設けられたクランクピン６４がカム６０に形成されたスロット６７内に進入しつつ出力ギヤ５５を中心に回転し、所定角度回転するとスロット６７から抜け出し、カム６０は、設定角度回転して停止する。
【００５０】
図６（II）はカム６０の回転途中の状態を示し、図６（III）はカム６０が設定角度回転して停止している状態を示す。カム６０が設定角度回転する回転初期、カム６０に設けられたカム片６９と表示体４２の端部内周に設けられた弧状空間４８の周方向の対向端面間には回転方向遊びを有するため、その回転方向遊びの範囲内でカム６０が空回転する。上記回転方向遊びがなくなると、カム片６９が弧状空間４８の周方向の端面を押圧し、その押圧により表示体４２が支点ピン４５を中心に揺動する。図７は表示体４２が所定角度揺動した状態を示し、円弧状外周壁部４３に設けられた使用区分表示面４６がカバー３２に設けられた表示窓５３に瞬時に切換え表示される。
【００５１】
ラッチ１２が図１の鎖線で示す位置までスライドすると、そのラッチ１２のスライド方向の先端部がラッチ受け１７に係合し、規制溝１８のスライド方向の後端部が規制突起部１９のフランジ１９ａに当接して、ラッチ１２はラッチ受け１７に係合する状態に保持され、ドアＤは施錠状態とされる。
【００５２】
ドアＤの施錠状態において、使用者が倒れる非常事態の発生時には、図５に示されるツール挿入孔７２に回転操作用ツールを挿入し、その回転操作用ツールを出力ギヤ５５に設けられた突軸部７０のツール係合孔７１に係合して回転操作する。その回転操作により、出力ギヤ５５が回転し、その回転は入力ギヤ５４から図１に示されるピニオン２４に伝達されるため、ラッチ１２が解錠位置に向けてスライドし、ラッチ受け１７に対する係合が解除して、ドアＤは解錠状態とされ、非常事態に対応することができる。
【００５３】
また、ラッチ１２がラッチ受け１７に係合する施錠状態において、そのラッチ１２を使用者の操作によって解錠位置までスライドさせると、ラックピニオン機構２２の作動により回転軸２１が複動回転し、その回転が入力ギヤ５４から出力ギヤ５５に伝達されて、図６（III）に示されるクランクピン６４が図６（I）に示される位置まで複動する。
【００５４】
また、カム６０も図６（I）に示す位置まで戻される。その複動回転時にカム片６９が弧状空間４８の周方向で対向する端面を押圧するため、表示体４２が揺動して、不使用区分表示面４７がカバー３２の表示窓５３に切換え表示される。
【００５５】
このとき、カム６０に設けられた円弧面６８が、図６（I）に示されるように、ストッパ部６３の外周円筒面６３ａに係合する状態とされるため、カム６０は切換え表示した状態にロックされる。
【００５６】
このため、表示窓５３を通じて表示体４２に回転トルクが負荷されたとしても、その回転トルクは円弧面６８と外周円筒面６３ａの係合部で受け止められることになり、表示体４２は回転しない。その結果、悪戯によって表示体４２が揺動されることはない。
【符号の説明】
【００５７】
Ｄ    ドア
Ａ    出入口
１０  操作部
１１  台座
１２  ラッチ
１７  ラッチ受け
２１  回転軸
２２  ラックピニオン機構
３０  表示部
３１  ベース板
３２  カバー
４２  表示体
４３  外周壁部
４６  使用区分表示面
４７  不使用区分表示面
４８  弧状空間
４９  長孔
５３  表示窓
５４  入力ギヤ
５５  出力ギヤ
６０  カム
６１  突軸
６２  ゼネバ機構
６３  ストッパ部
６３ａ  外周円筒面
６４  クランクピン
６５  切欠部
６６  円弧状外周面
６７  スロット
６８  円弧面
６９  カム片
７０  突軸部
７１  ツール係合孔
７２  ツール挿入孔
【図１】
0006501667.tif 000002
【図２】
0006501667.tif 000003
【図３】
0006501667.tif 000004
【図４】
0006501667.tif 000005
【図５】
0006501667.tif 000006
【図６】
0006501667.tif 000007
【図７】
0006501667.tif 000008
【図８】
0006501667.tif 000009
【図９】
0006501667.tif 000010